(57)【要約】      （修正有）【課題】機器の調整を行うことなく、多種類の景品を所望の向きで配置することができる景品配置装置を提供する。【解決手段】景品収納部内に配置され、景品紐１３の一部が取り付けられた取付部１１と、取付部１１の下方に配置され、景品紐１３の一部が取り付けられることにより景品収納部のフロアパネルと略平行になるように支持され、本体部１１０ａと切断刃１１０ｂからなる景品紐切断部により景品紐１３が切断されることにより上部に載置された景品Ａを景品受取口へ排出する景品載置台１６とを備える。【選択図】図３
0003170941.tif 000002
【実用新案登録請求の範囲】
【請求項１】
遊技者の操作に基づいて景品収納部内で移動して景品紐を切断する切断手段を有し、前記切断手段により前記景品紐が切断されることにより、前記景品収納部から前記景品収納部の下方に設けられた景品受取口へ景品を排出する景品獲得装置に適用される景品配置装置であって、
前記景品収納部内に配置され、前記景品紐の一部が取り付けられた取付部と、
前記取付部の下方に配置され、前記景品紐の一部が取り付けられることにより前記景品収納部の底板と略平行になるように支持され、前記切断手段により前記景品紐が切断されることにより上部に載置された景品を前記景品受取口へ排出する景品載置台と、
を備えたことを特徴とする景品配置装置。
【請求項２】
前記景品載置台は、
前記取付部の下方に配置され、前記景品紐の一部が取り付けられることにより前記景品収納部の底板と略平行になるように支持され、前記切断手段により前記景品紐が切断されることにより上部に載置された景品を前記景品排出口へ落下させるように傾斜する
ことを特徴とする請求項１記載の景品配置装置。
【請求項３】
前記景品載置台に前記景品紐が取り付けられた位置と対向する位置に一方の端部が取り付けられると共に、他方の端部が前記取付部に接続された固定紐と、
を備えたことを特徴とする請求項１又は２記載の景品配置装置。
【請求項４】
前記景品紐は、
前記取付部の上部に掛け渡されると共に、前記景品載置台の下部に掛け渡されて設けられた無端の紐状部材であり、錘が取り付けられた
ことを特徴とする請求項１〜３のうちいずれか１項記載の景品配置装置。
【請求項５】
前記景品収納部と前記景品排出口との間で、前記景品載置台が上下方向へ移動自在となるように設けられたガイドレールと、
を備えたことを特徴とする請求項１記載の景品配置装置。
【請求項６】
前記ガイドレールは、
前記景品紐が切断されることにより前記景品載置台が下方に移動する際に誘導する螺旋状の溝が設けられた
ことを特徴とする請求項５記載の景品配置装置。
【請求項７】
前記景品載置台の下方に、弾性体を備えた
ことを特徴とする請求項５又は６記載の景品配置装置。
【請求項８】
前記景品載置台は、
周部に壁が設けられた
ことを特徴とする請求項５〜７のいずれか１項記載の景品配置装置。
【考案の詳細な説明】
【技術分野】
【０００１】
本考案は、遊技者の操作に基づいて、遊技空間内から景品を排出する景品獲得装置に適用され、遊技空間内に景品を配置する景品配置装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれ、底面であるフロアパネル上に景品が載置された景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより獲得しようとする景品に対してクレーン駆動機構を動作させて景品把持部が目標とする景品の真上に到着したと思われるとき操作釦の操作を停止させる。
【０００５】
その後、景品把持部は自動的に降下し、フロアパネルに到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、特許文献２には、少なくとも一部が透明または半透明の素材で遮蔽された遊技空間内に、遊技者の操作によって少なくとも２方向に移動可能な移動手段と、景品を吊下支持する紐状体とを備え、操作部の操作釦を操作することにより移動手段を移動させ、移動手段に設けられた切断手段により紐状体を切断することにより景品獲得となる景品獲得ゲーム機が提案されている。
【先行技術文献】
【特許文献】
【０００８】
【特許文献１】特開２０００−８４２３６号公報
【特許文献２】特開２０１０−１８４１２９号公報
【考案の概要】
【考案が解決しようとする課題】
【０００９】
特許文献１に記載のクレーン遊技装置では、景品として玩具が内包された景品箱や人形等が用いられ、その種類により重量が異なる場合が多い。そのため、景品獲得ゲームの難易度を最適にするために、クレーン遊技装置を運営する運営者は、クレーン遊技装置に備えられた景品把持部の景品を把持する把持力を、景品の重量に応じた最適値に設定する必要がある。
【００１０】
そのため、クレーン遊技装置の景品収納部内に載置する景品の種類を変更する度に、運営者は、景品把持部の把持力を景品の重量に応じて変更する必要があり、この変更作業が非常に煩わしかった。また、クレーン遊技装置の景品収納部内に吊り下げる景品を全て同一の重量のものとする必要があった。
【００１１】
また、特許文献２に記載の景品獲得ゲーム機では、景品を吊下支持する紐状体とを備え、操作部の操作釦を操作することにより移動手段を移動させて、移動手段に設けられた切断手段により紐状体を切断することにより景品獲得するので、吊下支持された景品が回転してしまう場合があった。例えば、景品が人形であった場合、人形が回転して後ろ向きの状態で停止してしまうと、遊技者は人形の後ろ姿しか視認できず、これにより、景品獲得ゲーム機の集客力が低下するという課題があった。
【００１２】
本考案は、上記課題に鑑みてなされたものであり、景品把持部の把持力を調整する作業を行うことなく、多種類の景品を所望の向きで配置することができる景品配置装置を提供することを目的とする。
【課題を解決するための手段】
【００１３】
上記目的を達成するため、本考案に係る景品配置装置の第１の特徴は、遊技者の操作に基づいて景品収納部内で移動して景品紐を切断する切断手段を有し、前記切断手段により前記景品紐が切断されることにより、前記景品収納部から前記景品収納部の下方に設けられた景品受取口へ景品を排出する景品配置装置に適用される景品配置装置であって、前記景品収納部内に配置され、前記景品紐の一部が取り付けられた取付部と、前記取付部の下方に配置され、前記景品紐の一部が取り付けられることにより前記景品収納部の底板と略平行になるように支持され、前記切断手段により前記景品紐が切断されることにより上部に載置された景品を前記景品受取口へ排出する景品載置台と、を備えたことにある。
【００１４】
上記目的を達成するため、本考案に係る景品配置装置の第２の特徴は、前記景品載置台は、前記取付部の下方に配置され、前記景品紐の一部が取り付けられることにより前記景品収納部の底板と略平行になるように支持され、前記切断手段により前記景品紐が切断されることにより上部に載置された景品を前記景品排出口へ落下させるように傾斜することにある。
【００１５】
上記目的を達成するため、本考案に係る景品配置装置の第３の特徴は、前記景品載置台に前記景品紐が取り付けられた位置と対向する位置に一方の端部が取り付けられると共に、他方の端部が前記取付部に接続された固定紐と、を備えたことにある。
【００１６】
上記目的を達成するため、本考案に係る景品配置装置の第４の特徴は、前記景品紐は、前記取付部の上部に掛け渡されると共に、前記景品載置台の下部に掛け渡されて設けられた無端の紐状部材であり、錘が取り付けられたことにある。
【００１７】
上記目的を達成するため、本考案に係る景品配置装置の第５の特徴は、前記景品収納部と前記景品排出口との間で、前記景品載置台が上下方向へ移動自在となるように設けられたガイドレールと、を備えたことにある。
【００１８】
上記目的を達成するため、本考案に係る景品配置装置の第６の特徴は、前記ガイドレールは、前記景品紐が切断されることにより前記景品載置台が下方に移動する際に誘導する螺旋状の溝が設けられたことにある。
【００１９】
上記目的を達成するため、本考案に係る景品配置装置の第７の特徴は、前記景品載置台の下方に、弾性体を備えたことにある。
【００２０】
上記目的を達成するため、本考案に係る景品配置装置の第８の特徴は、前記景品載置台は、周部に壁が設けられたことにある。
【考案の効果】
【００２１】
本考案に係る景品獲得装置によれば、機器の調整を行うことなく、多種類の景品を所望の向きで配置することができる。
【図面の簡単な説明】
【００２２】
【図１】本考案の実施例１である景品配置装置が適用された景品獲得装置の斜視図である。
【図２】本考案の実施例１である景品獲得装置の景品収納部内部を示した斜視図である。
【図３】本考案の実施例１である景品獲得装置１における景品を獲得する一連の動作の流れを模式的に説明した図である。（ａ）は、本考案の実施例１である景品獲得装置に備えられた景品載置台上には景品が載置された状態を示しており、（ｂ）は、本考案の実施例１である景品獲得装置に備えられた景品紐が切断された状態を示した図である。
【図４】本考案の実施例２である景品獲得装置における景品を獲得する一連の動作の流れを模式的に説明した図である。（ａ）は、本考案の実施例２である景品獲得装置に備えられた景品載置台上には景品が載置された状態を示しており、（ｂ）は、本考案の実施例２である景品獲得装置に備えられた景品紐が切断された状態を示した図である。
【図５】本考案の実施例３である景品獲得装置の景品配置装置の構成を示した図である。
【図６】本考案の実施例３である景品獲得装置の景品配置装置の構成を示した図である。
【図７】本考案の実施例４である景品獲得装置における景品を獲得する一連の動作の流れを模式的に説明した図である。（ａ）は、本考案の実施例４である景品獲得装置に備えられた景品載置台上に景品が載置された状態を示しており、（ｂ）は、本考案の実施例４である景品獲得装置に備えられた景品紐が切断された状態を示した図であり、（ｃ）は、本考案の実施例４である景品獲得装置に備えられた景品載置台上から景品が落下した状態を示しており、（ｄ）は、本考案の実施例４である景品獲得装置に備えられた景品紐が落下した状態を示している。
【図８】本考案の実施例５である景品獲得装置５における景品を獲得する一連の動作の流れを模式的に説明した図である。（ａ）は、本考案の実施例５である景品獲得装置に備えられた景品載置台上には景品Ａが載置された状態を示しており、（ｂ）は、本考案の実施例５である景品獲得装置５に備えられた景品紐が切断された状態を示した図である。
【考案を実施するための形態】
【００２３】
以下、本考案を実施するための形態について図面を参照して説明する。
【実施例１】
【００２４】
本考案の実施例１では、遊技者の操作に基づいて、景品収納部に配置された景品を、景品受取口から景品収納部外へ排出する景品獲得装置を例に挙げて説明する。
【００２５】
＜景品獲得装置１の構成＞
図１は、本考案の実施例１である景品配置装置が適用された景品獲得装置の斜視図である。
【００２６】
図１に示すように、景品獲得装置１は、三方を透明板で囲まれた景品収納部１０１と、この景品収納部１０１内に設けられた景品紐切断部１１０，１１１と、この景品紐切断部１１０，１１１を景品収納部１０１内で所望位置に移動させるクレーン機構１０３と、景品収納部１０１内の底面に備えられたフロア部１０４とを備えている。
【００２７】
このフロア部１０４は、フロアパネルの組み替え式が採用されており、このフロアパネルを組み替えることで、任意の場所に景品排出口１０４ａ，１０４ｂを備えるようにすることができる。
【００２８】
景品収納部１０１の下方には、景品獲得装置１内部の景品排出口１０４ａ，１０４ｂからそれぞれ連通する景品受取口１０５ａ，１０５ｂと、操作釦やコイン投入口等を有する操作部１０６とが設けられている。
【００２９】
クレーン機構１０３は、景品紐切断部１１０，１１１を吊り下げ支持すると共に、遊技者による操作部１０６の操作により、景品紐切断部１１０，１１１を景品収納部１０１内で前後方向（Ｙ１，Ｙ２方向）及び左右方向（Ｘ１，Ｘ２方向）の２方向に移動させる。
【００３０】
また、景品獲得装置１の下部には、クレーン機構１０３など景品獲得装置１内の各機器を制御する制御部１０７を備えている。
【００３１】
図２は、本考案の実施例１である景品獲得装置１の景品収納部１０１内部を示した斜視図である。なお、景品獲得装置１は、正面向かって左右対称の構成を有しているので、ここでは、景品獲得装置１の左側部分について説明する。
【００３２】
図２に示すように、景品紐切断部１１０は、本体部１１０ａと、本体部１１０ａに支持された切断刃１１０ｂとを備えている。制御部１０７からの制御信号に基づいてクレーン機構１０３が駆動することにより、本体部１１０ａと、切断刃１１０ｂとが、景品収納部１０１内で前後及び左右の２方向に移動する。
【００３３】
また、景品収納部１０１内には、円柱形状を有し、その両端が景品収納部１０１の内部壁面に固定された第１の取付バー１１と、この第１の取付バー１１より下方（Ｚ１方向）に固定された第２の取付バー１２とを備えている。
【００３４】
第２の取付バー１２には、ボールチェーン１４，１５の一方の端部が接続されている。そして、ボールチェーン１４，１５の他方の端部は、景品載置台１６の前方（Ｙ１）方向の両端部１６ａ，１６ｂに接続されている。
【００３５】
景品載置台１６は、矩形の平板で成形されており、景品載置台１６上には、景品Ａが載置されている。
【００３６】
第１の取付バー１１には、景品紐１３の一方の端部が固定されている。この景品紐１３は、例えば、綿やビニル等の景品紐切断部１１０，１１１により切断可能な素材で形成されている。そして、この景品紐１３の他方の端部は、景品載置台１６におけるボールチェーン１４，１５が接続された両端部１６ａ，１６ｂと対向する位置である後方（Ｙ２方向）の端部１６ｃに接続されている。
【００３７】
この景品紐１３の長さは、景品載置台１６が、景品収納部１０１のフロア部１０４と略平行に支持されているような長さに調整されている。
【００３８】
これにより、景品載置台１６は、景品収納部１０１のフロア部１０４と略平行になるように、景品紐１３により片側が吊り下げ支持される。
【００３９】
このように、本考案の実施例１である景品獲得装置１では、景品収納部１０１のフロア部１０４と略平行になるように、景品紐１３により景品載置台１６の片側が吊り下げ支持され、この景品載置台１６上には景品Ａが載置されているので、景品Ａの種類にかかわらず、景品Ａを所望の向きで配置することができる。
【００４０】
なお、第１の取付バー１１と、第２の取付バー１２と、景品紐１３と、ボールチェーン１４，１５とを備える装置を景品配置装置１０という。
【００４１】
＜景品獲得装置１の作用＞
次に、図３を用いて、本考案の実施例１である景品獲得装置１の作用について説明する。
【００４２】
図３（ａ）〜（ｂ）は、本考案の実施例１である景品獲得装置１における景品を獲得する一連の動作の流れを模式的に説明した図である。（ａ）は、本考案の実施例１である景品獲得装置１に備えられた景品載置台１６上には景品Ａが載置された状態を示しており、（ｂ）は、本考案の実施例１である景品獲得装置１に備えられた景品紐１３が切断された状態を示した図である。
【００４３】
図３（ａ）に示すように、遊技者による操作部１０６の操作釦の操作に基づいて、制御部１０７が、景品Ａに対してクレーン機構１０３を動作させる。
【００４４】
そして、遊技者は、景品紐切断部１１０が目標とする景品紐１３の真横に到着したと思われるとき操作釦の操作を停止させた場合、制御部１０７は、景品紐切断部１１０を自動的に切断刃１１０ｂを閉じるように動作することによって、景品紐１３を切断する。
【００４５】
このように、景品紐１３が切断されることにより、図３（ｂ）に示すように、景品載置台１６は、Ｒ方向に傾斜するので、景品載置台１６上に載置された景品Ａが、景品載置台１６から景品排出口１０４ａへ落下する。
【００４６】
落下した景品Ａは、景品排出口１０４ａから連通する景品受取口１０５ａに排出される。
【００４７】
このとき、景品載置台１６は、端部１６ａ，１６ｂで、それぞれボールチェーン１４，１５に接続されているので、ボールチェーン１４，１５により景品載置台１６の下面１６ｄが前方（Ｙ１方向）を向いた状態で吊り下げ支持される。
【００４８】
そのため、景品載置台１６の下面１６ｄに、予めＰＯＰ（Point of purchase）広告などを描画しておくことにより、景品獲得ゲーム終了後においても、遊技者に遊技意欲を喚起させることができる。
【００４９】
なお、本考案の実施例１では、一方の端部が第２の取付バー１２に接続されると共に、他方の端部は、景品載置台１６の前方（Ｙ１方向）の両端部１６ａ，１６ｂに接続されたボールチェーン１４，１５を備える景品獲得装置１を例に挙げて説明したが、これに限らない。
【００５０】
例えば、蝶番などを用いて、景品載置台１６の前方（Ｙ１方向）の一辺を回動自在に景品収納部１０１の壁面に取り付ける構成としてもよい。即ち、景品載置台１６は、景品紐１３の一部が取り付けられることにより景品収納部１０１のフロア部１０４と略平行になるように支持され、景品紐切断部１１０により景品紐１３が切断されることにより上部に載置された景品Ａを景品排出口１０４ａへ落下させるように傾斜するような構成であればよい。
【００５１】
このような蝶番を備える構成の場合、ボールチェーン１４，１５を備える構成と比較して、より前方（Ｙ１方向）に景品載置台１６を吊り下げ支持することができる。
【００５２】
そのため、景品獲得装置１内に景品配置装置１０を前後方向（Ｙ１Ｙ２方向）に複数配置する場合、ボールチェーン１４，１５を備える構成の景品配置装置１０を前方に配置し、蝶番を備える構成の景品配置装置１０を後方に配置することにより、吊り下げ位置が前後方向で近くなるので、遊技者にとって見やすくなるという効果がある。
【００５３】
なお、本考案の実施例１では、フロアパネルの組み替え式が採用されており、このフロアパネルを組み替えることで、任意の場所に景品排出口１０４ａ，１０４ｂを有するフロア部１０４を備えた景品獲得装置１を例に挙げて説明したが、これに限らない。
【００５４】
例えば、景品収納部１０１内の底面にフロアパネルを用いてフロア部１０４を設けることなく、景品収納部１０１内の底面全体を景品排出口としてもよい。
【実施例２】
【００５５】
本考案の実施例１では、景品収納部１０１のフロア部１０４と略平行になるように、１本の景品紐１３により景品載置台１６の片側を吊り下げ支持する景品獲得装置１を例に挙げて説明した。
【００５６】
本考案の実施例２では、景品収納部１０１のフロア部１０４と略平行になるように、２本の景品紐１３により景品載置台１６の片側を吊り下げ支持する景品獲得装置１を例に挙げて説明する。
【００５７】
図４（ａ）〜（ｂ）は、本考案の実施例２である景品獲得装置２における景品を獲得する一連の動作の流れを模式的に説明した図である。（ａ）は、本考案の実施例２である景品獲得装置２に備えられた景品載置台１６上には景品Ａが載置された状態を示しており、（ｂ）は、本考案の実施例２である景品獲得装置２に備えられた景品紐１３が切断された状態を示した図である。
【００５８】
図４（ａ）に示すように、第１の取付バー１１には、景品紐１３及び景品紐１７の一方の端部が固定されている。そして、この景品紐１３，１７のそれぞれの他方の端部は、景品載置台１６におけるボールチェーン１４，１５が接続された両端部１６ａ，１６ｂと対向する位置である前方（Ｙ１方向）の端部１６ｃ，１６ｅに接続されている。
【００５９】
そして、遊技者による操作部１０６の操作釦の操作に基づいて、制御部１０７が、景品Ａに対してクレーン機構１０３を動作させる。
【００６０】
遊技者は、景品紐切断部１１０が景品紐切断部１１０が目標とする景品紐１３の真横に到着したと思われるとき操作釦の操作を停止させた場合、制御部１０７は、景品紐切断部１１０を自動的に切断刃１１０ｂを閉じるように動作することによって、景品紐１３を切断する。
【００６１】
このように、景品紐１３が切断されることにより、図４（ｂ）に示すように、景品載置台１６は、Ｓ方向に傾斜する。ここで、景品紐１７は切断されていないので、景品載置台１６は、傾斜した状態のまま支持されている。
【００６２】
そのため、遊技者は、さらに、景品紐１７を切断して景品Ａを獲得する景品獲得ゲームを堪能することができる。
【００６３】
さらに、遊技者が、景品獲得ゲームに挑戦することにより、景品紐１７が切断されると、景品載置台１６上に載置された景品Ａが、景品載置台１６から景品排出口１０４ａへ落下し、落下した景品Ａは、景品排出口１０４ａから連通する景品受取口１０５ａに排出される。これにより、遊技者は、２本の景品紐１３，１７の切断に成功することにより景品Ａを獲得できたというより高い満足感を得ることができる。
【００６４】
また、このとき、景品載置台１６は、端部１６ａ，１６ｂで、それぞれボールチェーン１４，１５に接続されているので、ボールチェーン１４，１５により景品載置台１６の上面１６ｆが前方（Ｙ１方向）を向いた状態で吊り下げ支持される。
【００６５】
そのため、景品載置台１６の上面１６ｆに、予めＰＯＰ（Point of purchase）広告などを描画しておくことにより、景品獲得ゲーム終了後においても、遊技者に遊技意欲を喚起させることができる。
【実施例３】
【００６６】
本考案の実施例１では、景品収納部１０１のフロア部１０４と略平行になるように、景品紐１３により矩形の平板で成形された景品載置台１６の片側を吊り下げ支持する景品獲得装置１を例に挙げて説明した。
【００６７】
本考案の実施例３では、景品収納部１０１のフロア部１０４と略平行になるように、景品紐１３により、その他形状に成型された景品載置台１６の片側を吊り下げ支持する景品獲得装置を例に挙げて説明する。
【００６８】
図５は、本考案の実施例３である景品獲得装置３の景品配置装置の構成を示した図である。
【００６９】
図５に示すように、例えば、景品Ｂが、転倒しやすい形状であった場合、景品紐１３が切断される前に、振動等により景品Ｂが落下する場合がある。そこで、本考案の実施例３である景品獲得装置３では、景品Ｂが落下しないように、内面が下に凸の形状（以下、バスケット形状という）を有する景品載置台２１を備えたことを特徴とする。
【００７０】
このように、バスケット形状を有する景品載置台２１を備えることにより、本考案の実施例３である景品獲得装置３では、転倒しやすい形状の景品Ｂを用いることができる。
【００７１】
また、景品載置台上に複数の景品を載置するようにしてもよい。
【００７２】
図６は、本考案の実施例３である景品獲得装置３の景品配置装置の構成を示した図である。
【００７３】
例えば、複数の景品Ａを載置したい場合、平板形状の景品載置台に載置した場合、遊技者にとって景品Ａが見にくい場合があった。
【００７４】
そこで、図６に示すように、本考案の実施例３である景品獲得装置３では、遊技者にとって景品Ａが見やすいように、ひな壇形状を有する景品載置台２２を備えたことを特徴とする。
【００７５】
このように、景品載置台２２は、ひな壇形状を有するので、景品Ａを後方（Ｙ２方向）ほど高い位置に配置することができる。これにより、遊技者にとって景品Ａが見やすくなるので、遊技者に遊技意欲を喚起させることができる。
【実施例４】
【００７６】
本考案の実施例１では、景品収納部１０１のフロア部１０４と略平行になるように、景品紐１３により景品載置台１６の片側を吊り下げ支持する景品獲得装置１を例に挙げて説明した。
【００７７】
本考案の実施例４では、景品収納部１０１のフロア部１０４と略平行になるように、景品紐により、景品載置台１６の片側を吊り下げ支持し、景品紐が切断されると、切断された景品紐の自動回収が可能な景品獲得装置を例に挙げて説明する。
【００７８】
図７（ａ）〜（ｄ）は、本考案の実施例４である景品獲得装置４における景品を獲得する一連の動作の流れを模式的に説明した図である。（ａ）は、本考案の実施例４である景品獲得装置４に備えられた景品載置台１６上に景品Ａが載置された状態を示しており、（ｂ）は、本考案の実施例４である景品獲得装置４に備えられた景品紐が切断された状態を示した図であり、（ｃ）は、本考案の実施例４である景品獲得装置４に備えられた景品載置台１６上から景品Ａが落下した状態を示しており、（ｄ）は、本考案の実施例４である景品獲得装置４に備えられた景品紐が落下した状態を示している。
【００７９】
図７（ａ）に示すように、景品紐３１は、無端の紐状部材であり、第１の取付バー１１の上部に掛け渡されると共に、第２の取付バー１２の下部で前後方向（Ｙ１Ｙ２方向）に交差し、さらに、景品載置台１６の下部に掛け渡されて設けられている。
【００８０】
また、景品紐３１は、錘３２が取り付けられている。景品載置台１６の下部には、図示しないが、Ｙ１Ｙ２方向にガイド溝が設けられており、錘３２は、景品載置台１６のガイド溝に沿ってＹ１Ｙ２方向にスライド自在に支持されている。なお、この錘３２の重量は、景品紐３１を落下させるために必要な重量以上であればよい。
【００８１】
そして、遊技者による操作部１０６の操作釦の操作に基づいて、制御部１０７が、景品Ａに対してクレーン機構１０３を動作させる。
【００８２】
遊技者は、景品紐切断部１１０が目標とする景品紐１３の真横に到着したと思われるとき操作釦の操作を停止させた場合、制御部１０７は、景品紐切断部１１０を自動的に切断刃１１０ｂを閉じるように動作することによって、景品紐３１を切断する。
【００８３】
このように、景品紐３１が切断されることにより、図７（ｂ）に示すように、景品載置台１６は、Ｒ方向に傾斜するので、景品載置台１６上に載置された景品Ａが、景品載置台１６から景品排出口１０４ａへ落下する。
【００８４】
このとき、景品紐３１に取り付けられた錘３２は、その自重によりＴ１方向へガイド溝に沿ってスライド移動する。
【００８５】
そして、図７（ｃ）に示すように、景品載置台１６は、端部１６ａ，１６ｂで、それぞれボールチェーン１４，１５に接続されているので、ボールチェーン１４，１５により景品載置台１６は吊り下げ支持される。
【００８６】
このとき、景品紐３１に取り付けられた錘３２は、ガイド溝から外れてその自重により景品紐３１と共に落下する。
【００８７】
図７（ｄ）に示すように、景品載置台１６から落下した景品Ａは、景品排出口１０４ａへ落下し、景品排出口１０４ａと連通した景品受取口１０５ａから排出される。
【００８８】
また、その自重により落下した景品紐３１と錘３２とは、下方に設けられた収納箱１０９ａ内に収納される。
【００８９】
このように、錘３２は、景品載置台１６の下部にスライド自在に支持されているので、景品載置台１６が、Ｒ方向に傾斜したときに、まず、景品Ａが、景品載置台１６から落下すると共に、錘３２が、その自重によりＴ１方向へスライド移動する。その後、錘３２がガイド溝から外れて落下するので、景品Ａが落下してから錘３２が落下するまで時間差が生じる。これにより、景品Ａは、景品排出口１０４ａへ落下すると共に、錘３２は、収納箱１０９ａへと落下するので、それぞれ別々に回収することができる。
【００９０】
以上のように、本考案の実施例４である景品獲得装置４によれば、第１の取付バー１１の上部に掛け渡されると共に、景品載置台１６の下部に掛け渡されて設けられた無端の紐状部材であり、錘３２が取り付けられた景品紐３１を備えるので、景品紐３１は、切断されると、自動的に収納箱１０９ａに収納される。これにより、景品獲得装置４を管理している運営者は、景品載置台１６から景品紐３２を外すという煩わしい作業をする必要がなくなる。
【実施例５】
【００９１】
本考案の実施例１では、景品収納部１０１のフロア部１０４と略平行になるように、景品紐１３により景品載置台１６の片側を吊り下げ支持する景品獲得装置１を例に挙げて説明した。
【００９２】
本考案の実施例５では、景品収納部１０１と景品受取口１０５ａとの間で、景品載置台１６を上下方向へ移動自在に支持する景品獲得装置を例に挙げて説明する。
【００９３】
図８（ａ）〜（ｂ）は、本考案の実施例５である景品獲得装置５における景品を獲得する一連の動作の流れを模式的に説明した図である。（ａ）は、本考案の実施例５である景品獲得装置５に備えられた景品載置台１６上には景品Ａが載置された状態を示しており、（ｂ）は、本考案の実施例５である景品獲得装置５に備えられた景品紐１３が切断された状態を示した図である。
【００９４】
図８（ａ）に示すように、第１の取付バー１１には、景品紐１３の一方の端部が固定されている。そして、この景品紐１３の他方の端部は、第１の取付バー１１が固定された位置の真下の景品載置台１６上の位置に固定されている。景品載置台１６には、景品Ａの落下を防止するために、景品載置台１６の周部全体にフェンス１６ｇが設けられている。
【００９５】
また、景品獲得装置５は、景品収納部１０１と景品受取口１０５ａとの間で、景品載置台１６が上下方向へ移動自在となるように設けられたガイドレール４１と、景品載置台１６の下方に、弾性体であるバネ４２とを備えている。
【００９６】
ガイドレール４１は、景品紐切断部１１０により景品紐１３が切断されることにより景品載置台１６が下方に移動する際に誘導する螺旋状の溝が設けられている。
【００９７】
そして、遊技者による操作部１０６の操作釦の操作に基づいて、制御部１０７が、景品Ａに対してクレーン機構１０３を動作させる。
【００９８】
遊技者は、景品紐切断部１１０が景品紐切断部１１０が目標とする景品紐１３の真横に到着したと思われるとき操作釦の操作を停止させた場合、制御部１０７は、景品紐切断部１１０を自動的に切断刃１１０ｂを閉じるように動作することによって、景品紐１３を切断する。
【００９９】
このように、景品紐１３が切断されることにより、図８（ｂ）に示すように、景品載置台１６は、ガイドレール４１を中心に回転しながら下方に移動する。
【０１００】
そして、下方に設けられたバネ４２の弾性力により、落下の衝撃が低減されて景品Ａを載置した状態で景品載置台１６が、景品受取口１０５ａに到達する。
【０１０１】
以上のように、本考案の実施例５である景品獲得装置５によれば、景品収納部１０１と景品受取口１０５ａとの間で、ガイドレール４１により景品載置台１６を上下方向へ移動自在に支持するので、景品紐１３が切断されることにより景品載置台１６は、ガイドレール４１に沿って下方に移動する。
【０１０２】
これにより、景品Ａは、景品載置台１６から落下して景品受取口１０５ａに到達する場合に比較して、落下の際に与えられる衝撃が小さくなる。
【０１０３】
なお、本考案の実施例５では、螺旋状の溝が設けられたガイドレール４１を備える景品獲得装置５を例に挙げて説明したが、これに限らず、景品Ａが直接落下する際の落下速度より遅くなるように、溝が設けられていればよい。
【０１０４】
また、本考案の実施例５では、景品載置台１６の下方に、弾性体としてバネ４２が設けられた景品獲得装置５を例に挙げて説明したが、景品載置台１６の下方に設けられる弾性体は、バネに限らず、ゴムや樹脂などの弾性力を有するものであればよい。
【符号の説明】
【０１０５】
１，２，３，４，５…景品獲得装置
１０…景品配置装置
１１…第１の取付バー（取付部）
１２…第２の取付バー（取付部）
１３，１７…景品紐
１４，１５…ボールチェーン（固定紐）
１６，２１，２２…景品載置台
１７，３１，３２…景品紐
３２…錘
４１…ガイドレール
４２…バネ
１０１…景品収納部
１０３…クレーン機構
１０４…フロア部
１０４ａ，１０４ｂ…景品排出口
１０５ａ，１０５ｂ…景品受取口
１０６…操作部
１０７…制御部
１０９ａ…収納箱
１１０，１１１…景品紐切断部（切断手段）
１１０ａ，１１１ａ…本体部
１１０ｂ，１１１ｂ…切断刃
【図１】
0003170941.tif 000003
【図２】
0003170941.tif 000004
【図３】
0003170941.tif 000005
【図４】
0003170941.tif 000006
【図５】
0003170941.tif 000007
【図６】
0003170941.tif 000008
【図７】
0003170941.tif 000009
【図８】
0003170941.tif 000010